(57)【要約】【課題】カバーの周囲の壁面部分に簡単に貼付することができ、汎用性が高く、長期間の使用に適した壁面用防汚材を提供する。【解決手段】建物の壁面Ｓに取り付けられ、矩形の輪郭を持ち操作部Ｏを囲うカバーＣの周囲の壁面部分に貼付される本発明の壁面用防汚材１は、基材１１とこの基材の一方の面に設けられる粘着層とで構成され、前記基材は、前記カバーの一辺Ｃ１に沿ってのびるＩ字状パーツ１１ａと、前記カバーの角部Ｃｃを跨いで前記カバーの二辺Ｃ２，Ｃ３に沿ってのびるＬ字状パーツ１１ｂとの少なくとも一方を備える。【選択図】図１
2018003295.tif 000002
【特許請求の範囲】
【請求項１】
建物の壁面に取り付けられ、矩形の輪郭を持ち操作部を囲うカバーの周囲の壁面部分に貼付される壁面用防汚材において、
基材とこの基材の一方の面に設けられる粘着層とで構成され、前記基材は、前記カバーの一辺に沿ってのびるＩ字状パーツと、前記カバーの角部を跨いで前記カバーの二辺に沿ってのびるＬ字状パーツとの少なくとも一方を備えることを特徴とする壁面用防汚材。
【請求項２】
前記基材の他方の面は、当該他方の面の汚れを容易に拭き取れる汚れ易除去機能を有することを特徴とする請求項１記載の壁面用防汚材。
【請求項３】
請求項１又は２記載の壁面用防汚材を用いた壁面汚れ防止方法であって、
前記Ｉ字状パーツをカバーの一辺に沿って壁面に貼付する工程と、前記Ｌ字状パーツをカバーの角部を跨ぐように壁面に貼付する工程との少なくとも一方を含むことを特徴とする壁面汚れ防止方法。
【発明の詳細な説明】
【技術分野】
【０００１】
本発明は、建物の壁面に取り付けられ、矩形の輪郭を持ち操作部を囲うカバーの周囲の壁面部分に貼付される壁面用防汚材、及び壁面用防汚材を用いた壁面汚れ防止方法に関する。
【背景技術】
【０００２】
この種の壁面用防汚材は、例えば、特許文献１で知られている。このものは、不織布又は布帛からなる基材を備え、この基材の略中央に、カバーの輪郭に対応する開口部が開設されている。そして、開口部内にカバーが位置するように、壁面用防汚材が壁面に貼付される。これによれば、操作部を操作する際、その操作者の手が壁面ではなく壁面用防汚材に触れるため、壁面の汚れを防止することができる。
【０００３】
然しながら、上記従来例のものでは、カバーを囲繞するように壁面用防汚材を貼付するため、壁面用防汚材の開口部とカバーとの間で位置合わせを行う必要があり、壁面用防汚材を貼付し難いという問題がある。さらに、カバーの輪郭（形状や大きさを含む）が異なると、その輪郭に対応する開口部を開設した別の壁面用防汚材を作製しなければならず、汎用性に乏しい。
【先行技術文献】
【特許文献】
【０００４】
【特許文献１】実開昭５１−１４６３９４号公報
【発明の概要】
【発明が解決しようとする課題】
【０００５】
本発明は、以上の点に鑑み、カバーの周囲の壁面部分に簡単に貼付することができ、汎用性が高い壁面用防汚材及びこの壁面用防汚材を用いた壁面汚れ防止方法を提供することを課題とする。
【課題を解決するための手段】
【０００６】
上記課題を解決するために、建物の壁面に取り付けられ、矩形の輪郭を持ち操作部を囲うカバーの周囲の壁面部分に貼付される本発明の壁面用防汚材は、基材とこの基材の一方の面に設けられる粘着層とで構成され、前記基材は、前記カバーの一辺に沿ってのびるＩ字状パーツと、前記カバーの角部を跨いで前記カバーの二辺に沿ってのびるＬ字状パーツとの少なくとも一方を備えることを特徴とする。尚、操作部には、建物内外に在る機器のオンオフを制御するためのスイッチ、機器の作動を制御するリモコンの他、機器への電力供給を行うために接続可能なコンセント、エレベータの呼び出しボタン、ドア開閉ボタンや階数ボタンも含まれるものとする。また、カバーには、リモコンの前面パネルも含まれるものとする。
【０００７】
本発明において、前記基材の他方の面は、当該他方の面の汚れを容易に拭き取れる汚れ易除去機能を有することが好ましい。この場合、基材をプラスチックフィルムで構成したり、布や紙で構成される基材の他方の面にプラスチックフィルムを貼付したり樹脂層を設けたりすることで、当該他方の面に汚れ易除去機能を持たせることができる。
【０００８】
上記壁面用防汚材を用いた本発明の壁面汚れ防止方法は、前記Ｉ字状パーツをカバーの一辺に沿って壁面に貼付する工程と、前記Ｌ字状パーツをカバーの角部を跨ぐように壁面に貼付する工程との少なくとも一方を含むことを特徴とする。
【発明の効果】
【０００９】
本発明によれば、Ｉ字状パーツをカバーの一辺に沿って壁面に貼付するか、Ｌ字状パーツをカバーの角部を跨ぐように壁面に貼付すればよいため、壁面用防汚材を簡単に貼付することができる。さらに、Ｉ字状パーツやＬ字状パーツは、カバーの輪郭に関係なく貼付することができるため、汎用性が高い。このように、Ｉ字状パーツやＬ字状パーツを壁面に貼付することで、操作部を操作する際、その操作者の手が壁面ではなくＩ字状パーツやＬ字状パーツに触れるため、壁面の汚れを防止することができる。
【００１０】
ところで、不織布や布帛で構成される基材は汚れやすく、一旦汚れると、その汚れを容易に除去することは難しいため、比較的短期間で壁面用防汚材を貼り替えなければならず、長期間の使用には不向きである。本発明において、基材をプラスチックフィルムで構成すれば、基材が汚れたとしても、その汚れを簡単に落とすことができ、長期間の使用に適したものとすることができる。
【図面の簡単な説明】
【００１１】
【図１】本発明の実施形態の壁面用防汚材について、カバーの周囲の壁面部分に貼付した状態を示す模式図。
【図２】図２（ａ）は、本発明の実施形態の壁面用防汚材を模式的に示す平面図であり、図２（ｂ）は、図２（ａ）に示す壁面用防汚材のＩＩｂ−ＩＩｂ線に沿う断面図。
【図３】壁面用防汚材の変形例を示す断面図。
【図４】壁面用防汚材の変形例を示す平面図。
【発明を実施するための形態】
【００１２】
以下、図１及び図２を参照して、本発明の実施形態の壁面用防汚材１について、操作部Ｏたるスイッチを囲うようにして建物の壁面Ｓに取り付けられる、矩形の輪郭を持つカバーＣの周囲の壁面部分に貼付されるステッカーを例に説明する。ここで、操作部Ｏは、建物内外に在る機器のオンオフを制御するための上記スイッチの他、機器の作動を制御するリモコンや、機器への電力供給を行うために接続可能なコンセントも含まれるものとする。機器としては、照明、エアコン、床暖房、インターホン等を例示することができる。カバーＣには、リモコンの前面パネルも含まれるものとする。カバーＣの矩形の輪郭には、厳密な矩形だけでなく、例えば図１に示すように角部が丸められている場合等実質的な矩形も含まれるものとする。
【００１３】
壁面用防汚材１たるステッカー１は、基材１１と、基材１１の一方の面（図２（ｂ）中、下面）に設けられる粘着層１２とで構成される。基材１１は、プラスチックフィルムで構成することが好ましく、プラスチックフィルムとしては、例えば、ポリ塩化ビニルフィルム、ポリエチレンフィルム、ポリエチレンテレフタレートフィルム等を用いることができる。基材１１をプラスチックフィルムで構成することで、基材１１の他方の面（図２（ｂ）中、上面）は汚れ易除去機能を有する。すなわち、基材１１の他方の面についた汚れを容易に拭き取って除去することができる。基材１１の他方の面には、模様Ｐが印刷されている。基材１１の厚みは、例えば、５〜１０００μｍの範囲内で設定することができ、１５〜５００μｍが好ましく、２５〜３００μｍがさらに好ましい。厚みが５μｍ未満であると、基材１１が薄くてコシがないために剥離紙から剥がす際や壁面に貼付する際の貼付作業時のハンドリングが悪くなる場合がある一方で、厚みが１０００μｍを超えると、基材１１が厚くてコシが強くなるため壁面に凹凸がある際の凹凸への追従性が悪くなる場合がある。基材１１は、透明もしくは半透明であることが好ましい。これによれば、模様Ｐと壁面Ｓとの一体感を向上させることができる。
【００１４】
粘着層１２の基材１１とは反対側の面には、剥離紙１３が設けられており、剥離紙１３と粘着層１２との界面から基材１１を剥がすことができるようになっている。尚、剥離紙１３に代えて、剥離フィルムを用いてもよい。剥離紙としては、上質紙、グラシン紙、クレーコート紙、ポリエチレンラミネート紙などを用いることができる。剥離フィルムとしては、ポリ塩化ビニルフィルム、ポリプロピレンフィルム、ポリエチレンフィルム、ポリエチレンテレフタレートフィルムなどを用いることができる。また必要に応じて、片面または両面に剥離剤を塗布してもよく、当該剥離剤としてはシリコーン樹脂、フッ素樹脂、長鎖アルキル樹脂、合成ゴム樹脂などを用いることができる。
【００１５】
基材１１は、カバーＣの一辺Ｃ１に沿ってのびるＩ字状パーツ１１ａと、カバーＣの角部Ｃｃを跨いでカバーＣの二辺Ｃ２，Ｃ３に沿ってのびるＬ字状パーツ１１ｂとの少なくとも一方を備える。Ｉ字状パーツ１１ａやＬ字状パーツ１１ｂのサイズは、カバーＣのサイズに応じて適宜設定することができる。例えば、Ｉ字状パーツ１１ａの幅Ｗ１は１０〜１００ｍｍが好ましく、３０〜５０ｍｍがさらに好ましい。Ｉ字状パーツ１１ａの長さＬ１は５０〜７００ｍｍが好ましく、１００〜３００ｍｍがさらに好ましい。Ｌ字状パーツ１１ｂの幅Ｗ２，Ｗ３は１０〜１００ｍｍが好ましく、３０〜５０ｍｍがさらに好ましい。Ｌ字状パーツ１１ｂの長さＬ２，Ｌ３は５０〜７００ｍｍが好ましく、１００〜３００ｍｍがさらに好ましい。各パーツ１１ａ，１１ｂの幅が１０ｍｍ未満であると、操作者の手が当たる壁面部分をカバーしきれないことがある一方で、１００ｍｍを超えると、操作者の手が当たる壁面部分をカバーするには過剰すぎて経済的でないばかりか、貼付面積が大きくなるために貼付する場所を選ぶ必要が出てくる。また、各パーツ１１ａ，１１ｂの長さが５０ｍｍ未満であると、操作者の手が当たる壁面部分をカバーしきれないことがある一方で、７００ｍｍを超えると、操作者の手が当たる壁面部分をカバーするには過剰すぎて経済的でないばかりかきれいに貼付するには難しい場合がある。
【００１６】
粘着層１２に使用される粘着剤としては、例えば、アクリル系粘着剤、ゴム系粘着剤、シリコーン系粘着剤、ウレタン系粘着剤等を挙げることができる。これらの粘着剤には、必要に応じて、公知の粘着付与剤、充填剤、軟化剤、酸化防止剤、紫外線吸収剤、架橋剤等が添加されてもよい。尚、粘着剤として粘着力が比較的弱いものや再剥離性のものを用いれば、基材１１を壁面Ｓから簡単に剥離することができ、壁面用防汚材１の貼り替え作業を簡単に行うことができる。以下、上記壁面用防汚材１を用いた壁面汚れ防止方法について、Ｉ字状パーツ１１ａ及びＬ字状パーツ１１ｂを壁面Ｓに貼付する場合を例に説明する。
【００１７】
前処理として、Ｉ字状パーツ１１ａ及びＬ字状パーツ１１ｂを貼付するカバーＣの周囲の壁面部分の汚れやほこりなどを除去する。次に、剥離紙１３からＩ字状パーツ１１ａを剥離し、剥離したＩ字状パーツ１１ａをカバーＣの一辺Ｃ１に沿うように粘着層１２を介して壁面Ｓに貼付する。同様に、剥離紙１３からＬ字状パーツ１１ｂを剥離し、剥離したＬ字状パーツ１１ｂをカバーＣの角部Ｃｃを跨いで二辺Ｃ２，Ｃ３に沿うように粘着層１２を介して壁面Ｓに貼付する。このときに、Ｌ字状パーツ１１ｂの内側直角部と、カバーＣの角部Ｃｃとの位置合わせを行う。最後に、壁面Ｓに貼付されたＩ字状パーツ１１ａ及びＬ字状パーツ１１ｂを全体的に押圧して圧着する。
【００１８】
本実施形態によれば、Ｉ字状パーツ１１ａやＬ字状パーツ１１ｂを壁面Ｓに貼付する際、従来例の如くカバーと開口部との間で位置合わせを行う必要がないため、簡単に貼付することができる。さらに、Ｉ字状パーツ１１ａやＬ字状パーツ１１ｂは、カバーＣの外形に関係なく貼付することができるため、汎用性が高い。このように、Ｉ字状パーツ１１ａやＬ字状パーツ１１ｂを壁面Ｓに貼付することで、操作部を操作する際、その操作者の手が壁面ＳではなくＩ字状パーツ１１ａやＬ字状パーツ１１ｂに触れるため、壁面Ｓの汚れを防止することができる。
【００１９】
また、基材１１をプラスチックフィルムで構成すれば、基材１１の表面が汚れても、簡単に汚れを落とすことができ、長期間の使用に適したものとすることができる。
【００２０】
また、Ｉ字状パーツ１１ａやＬ字状パーツ１１ｂをカバーＣに対して非対称に貼付することで、従来例のように対称に貼付されるものと比較して高い装飾美が奏せられるという効果も得られる。さらに、Ｉ字状パーツ１１ａの位置をカバーＣの一辺Ｃ１に沿って適宜設定することができるため、Ｉ字状パーツ１１ａの模様Ｐを変えることなく、複数の装飾パターンを実現することができる。
【００２１】
尚、本発明は上記実施形態に限定されるものではない。例えば、図３に示すように、基材１１（１１ｂ）の表面に樹脂層１４を設けることで、より高い汚れ易除去機能を持たせてもよい。樹脂層１４は、フッ素樹脂又はシリコーン樹脂をコーティングしたり、当該樹脂をフィルム状にしたものを積層することで形成することができる。この場合、樹脂層１４は汚れるが、基材１１に比べて樹脂層１４の汚れをより簡単に落とすことができ、その上、耐久性も向上するため、より一層長期間の使用が可能となる。尚、樹脂層１４を形成する場合には、基材１１は汚れないため、基材１１をプラスチックフィルムではなく布や紙で構成してもよい。また、基材１１を布や紙で構成する場合、基材１１の表面にプラスチックフィルムを貼付することで、汚れ易除去機能を持たせてもよい。
【００２２】
上記実施形態では、１個のＩ字状パーツ１１ａと１個のＬ字状パーツ１１ｂとを貼付する場合を例に説明したが、Ｉ字状パーツ１１ａとＬ字状パーツ１１ｂとの少なくとも一方を貼付すればよい。例えば、Ｌ字状パーツ１１ｂの代わりに、カバーＣの一辺Ｃ３に沿わせて他のＩ字状パーツ１１ａを貼付してもよい。この場合、２つのＩ字状パーツ１１ａをカバーＣに対して非対称に貼付することで、対称に貼付する場合と比べて高い美感を奏することができる。また、Ｉ字状パーツ１１ａの代わりに、カバーＣの角部Ｃｃの対角に位置する角部に他のＬ字状パーツ１１ｂを貼付してもよい。
【００２３】
また、図４に示すように、Ｌ字状パーツ１１ｂに分離手段としてのミシン目１５（１５ａ，１５ｂ，１５ｃ）を形成しておき、このミシン目１５で分離して２つのＩ字状パーツとしたり、任意の大きさや形状とすることができる。ミシン目形状としては、破線、一点鎖線、二点鎖線などから任意に選択すればよい。
【００２４】
また、本発明の構成中、基材１１、粘着層１２、印刷インク、樹脂層１４の少なくともいずれかに蓄光剤を含有しても良い。蓄光剤としては、硫化亜鉛(ZnS系)やアルミン酸ストロンチウム(SrAl2O4系)などを挙げることができる。蓄光剤を含有することで、消灯時でもスイッチやコンセントの位置を見つけやすくなり、さらに暗闇の中で光ることによりイルミネーション効果を持たせることができる。
【符号の説明】
【００２５】
Ｃ…操作部、Ｃｃ…カバーの角部、Ｃ１，Ｃ２，Ｃ３…カバーの辺、１…壁面用防汚材、１１…基材、１１ａ…Ｉ字状パーツ、１１ｂ…Ｌ字状パーツ、１２…粘着層、１３…剥離紙、１４…樹脂層。
【図１】
2018003295.tif 000003
【図２】
2018003295.tif 000004
【図３】
2018003295.tif 000005
【図４】
2018003295.tif 000006